(57)【要約】【課題】映像歪曲防止装置及び方法を提供する。【解決手段】光スキャナの偏向の程度を決定するミラー駆動信号に応答して動作する光スキャナによって光を走査し、前記光が形成する映像の歪曲を防止する映像歪曲防止装置であって、該映像歪曲防止装置は、無信号または水平指示信号が入力された光スキャナの偏向の程度を感知する偏向感知部４１０と、前記感知された結果に相応して候補駆動信号を調整し、前記調整された候補駆動信号をミラー駆動信号として出力する駆動信号調整部４３０と、からなり、候補駆動信号は、光スキャナの正常動作を指示する信号であり、水平指示信号は、光スキャナの非偏向を指示する信号であり、光スキャナは、ミラー駆動信号に応答して正常動作する。【選択図】図４
2007199690.tif 000002
【特許請求の範囲】
【請求項１】
光スキャナの偏向の程度を決定するミラー駆動信号に応答して動作する光スキャナによって光を走査し、前記光が形成する映像の歪曲を防止する映像歪曲防止装置において、
無信号または水平指示信号が入力された前記光スキャナの偏向の程度を感知する偏向感知部と、
前記感知された結果に相応して候補駆動信号を調整し、前記調整された候補駆動信号を前記ミラー駆動信号として出力する駆動信号調整部と、を備え、
前記候補駆動信号は、前記光スキャナの正常動作を指示する信号であり、前記水平指示信号は、前記光スキャナの非偏向を指示する信号であり、前記光スキャナは、前記ミラー駆動信号に応答して正常に動作することを特徴とする映像歪曲防止装置。
【請求項２】
前記駆動信号調整部は、前記感知された結果に相応するオフセットを前記候補駆動信号に印加し、前記オフセットが印加された候補駆動信号のレベルを前記光スキャナの駆動可能レベルに増加し、前記レベルが増加された候補駆動信号を前記ミラー駆動信号として出力することを特徴とする請求項１に記載の映像歪曲防止装置。
【請求項３】
前記光スキャナが偏向される程度の変化推移を予測する偏向予測部をさらに備え、
前記駆動信号調整部は、前記感知された結果または前記予測された結果に相応して前記候補駆動信号を調整して第１調整信号を生成して、前記第１調整信号を前記ミラー駆動信号として出力することを特徴とする請求項１に記載の映像歪曲防止装置。
【請求項４】
前記偏向予測部は、
前記候補駆動信号を入力し、入力した前記候補駆動信号のうち負の前記候補駆動信号を反転させて反転駆動信号を生成する反転部と、
前記第１調整信号の平方根を求め、求めた平方根の結果を前記予測された結果として出力する演算部と、を備え、
前記駆動信号調整部は、
前記反転駆動信号に前記感知された結果に相応するオフセットを印加することで、前記第１調整信号を生成する第１調整部と、
前記候補駆動信号に前記予測された結果に相応するオフセットを印加することで、第２調整信号を生成し、前記生成された第２調整信号のレベルを前記光スキャナの駆動可能レベルに増加させて第３調整信号を生成し、前記生成された第３調整信号を前記ミラー駆動信号として出力する第２調整部と、を備えることを特徴とする請求項３に記載の映像歪曲防止装置。
【請求項５】
前記光スキャナが偏向される程度の変化推移を予測する偏向予測部をさらに備え、
前記駆動信号調整部は、前記感知された結果及び前記予測された結果に相応して前記候補駆動信号を調整して、前記調整された候補駆動信号を前記ミラー駆動信号として出力することを特徴とする請求項１に記載の映像歪曲防止装置。
【請求項６】
前記偏向予測部は、
前記候補駆動信号を入力し、入力した前記候補駆動信号のうち負の前記候補駆動信号を反転させて反転駆動信号を生成する反転部と、
前記反転駆動信号の平方根を求め、求めた平方根の結果を前記予測された結果として出力する演算部と、を備え、
前記駆動信号調整部は、
前記候補駆動信号に前記感知された結果に相応するオフセットを印加することで、第４調整信号を生成する第１調整部と、
前記第４調整信号に前記予測された結果に相応するオフセットを印加することで、第５調整信号を生成し、前記生成された第５調整信号のレベルを前記光スキャナの駆動可能レベルに増加させて第６調整信号を生成し、前記生成された第６調整信号を前記ミラー駆動信号として出力する第２調整部と、を備えることを特徴とする請求項５に記載の映像歪曲防止装置。
【請求項７】
前記偏向予測部は、
前記候補駆動信号を入力し、入力した前記候補駆動信号のうち負の前記候補駆動信号を反転させて反転駆動信号を生成する反転部と、
前記反転駆動信号の平方根を求め、求めた平方根の結果を前記予測された結果として出力する演算部と、を備え、
前記駆動信号調整部は、
前記候補駆動信号に前記予測された結果に相応するオフセットを印加することで、第７調整信号を生成し、前記生成された第７調整信号のレベルを前記光スキャナの駆動可能レベルに増加させて第８調整信号を生成する第２調整部と、
第８調整信号に前記感知された結果に相応するオフセットを印加することで、第９調整信号を生成し、前記生成された第９調整信号を前記ミラー駆動信号として出力する第１調整部と、を備えることを特徴とする請求項５に記載の映像歪曲防止装置。
【請求項８】
前記走査が水平走査である場合、前記候補駆動信号は、正弦波形態の信号、三角波形態の信号、または矩形波形態の信号であり、前記走査が垂直走査である場合、前記候補駆動信号は、三角波形態の信号であることを特徴とする請求項３または請求項５に記載の映像歪曲防止装置。
【請求項９】
前記光スキャナの偏向の程度を決定するミラー駆動信号に応答して動作する光スキャナによって光を走査し、前記光が形成する映像の歪曲を防止する映像歪曲防止方法において、
（ａ）無信号または水平指示信号が入力された前記光スキャナの偏向の程度を感知する段階と、
（ｂ）前記感知された結果に相応して候補駆動信号を調整し、前記調整された候補駆動信号を前記ミラー駆動信号として出力する段階と、を含み、
前記候補駆動信号は、前記光スキャナの正常動作を指示する信号であり、前記水平指示信号は、前記光スキャナの非偏向を指示する信号であり、前記光スキャナは、前記ミラー駆動信号に応答して正常動作することを特徴とする映像歪曲防止方法。
【請求項１０】
前記（ｂ）段階は、
前記感知された結果に相応するオフセットを前記候補駆動信号に印加し、前記オフセットが印加された候補駆動信号のレベルを前記光スキャナの駆動可能レベルに増加し、前記レベルが増加された候補駆動信号を前記ミラー駆動信号として出力することを特徴とする請求項９に記載の映像歪曲防止方法。
【請求項１１】
光スキャナの偏向の程度を決定するミラー駆動信号に応答して動作する光スキャナによって光を走査し、前記光が形成する映像の歪曲を防止する映像歪曲防止方法において、
無信号または水平指示信号が入力された前記光スキャナの偏向の程度を感知する段階と、
与えられた候補駆動信号のうち負の候補駆動信号を反転させる段階と、
前記感知された結果に相応するオフセットを前記反転して生成された反転駆動信号に印加することで第１調整信号を生成する段階と、
前記第１調整信号の平方根を求め、求めた平方根の結果に相応するオフセットを前記候補駆動信号に印加することで第２調整信号を生成する段階と、
前記第２調整信号のレベルを前記光スキャナの駆動可能レベルに増加させて第３調整信号を生成し、前記生成された第３調整信号を前記ミラー駆動信号として出力する段階と、を含み、
前記候補駆動信号は、前記光スキャナの正常動作を指示する信号であり、前記水平指示信号は、前記光スキャナの非偏向を指示する信号であり、前記光スキャナは、前記ミラー駆動信号に応答して正常に動作することを特徴とする映像歪曲防止方法。
【請求項１２】
光スキャナの偏向の程度を決定するミラー駆動信号に応答して動作する光スキャナによって光を走査し、前記光が形成する映像の歪曲を防止する映像歪曲防止方法において、
無信号または水平指示信号が入力された前記光スキャナの偏向の程度を感知する段階と、
与えられた候補駆動信号のうち負の候補駆動信号を反転させ、反転された結果の平方根を求める段階と、
前記感知された結果に相応するオフセットを前記候補駆動信号に印加することで第４調整信号を生成する段階と、
前記求めた平方根の結果に相応するオフセットを前記第４調整信号に印加することで第５調整信号を生成する段階と、
前記第５調整信号のレベルを前記光スキャナの駆動可能レベルに増加させ、増加した結果を前記ミラー駆動信号として出力する段階と、を含み、
前記候補駆動信号は、前記光スキャナの正常動作を指示する信号であり、前記水平指示信号は、前記光スキャナの非偏向を指示する信号であり、前記光スキャナは、前記ミラー駆動信号に応答して正常動作することを特徴とする映像歪曲防止方法。
【請求項１３】
光スキャナの偏向の程度を決定するミラー駆動信号に応答して動作する光スキャナによって光を走査し、前記光が形成する映像の歪曲を防止する映像歪曲防止方法において、
無信号または水平指示信号が入力された前記光スキャナの偏向の程度を感知する段階と、
与えられた候補駆動信号のうち負の候補駆動信号を反転させ、反転された結果の平方根を求める段階と、
前記求めた平方根の結果に相応するオフセットを前記候補駆動信号に印加することで第７調整信号を生成する段階と、
前記感知された結果に相応するオフセットを前記第７調整信号に印加することで第８調整信号を生成する段階と、
前記第８調整信号のレベルを前記光スキャナの駆動可能レベルに増加させ、増加した結果を前記ミラー駆動信号として出力する段階と、を含み、
前記候補駆動信号は、前記光スキャナの正常動作を指示する信号であり、前記水平指示信号は前記光スキャナの非偏向を指示する信号であり、前記光スキャナは、前記ミラー駆動信号に応答して正常動作することを特徴とする映像歪曲防止方法。
【発明の詳細な説明】
【技術分野】
【０００１】
本発明は、ＭＥＭＳスキャナのような光スキャナに係り、さらに詳細には、光スキャナの偏向の程度を決定するミラー駆動信号に応答して動作する光スキャナによって光を走査し、その光が形成する映像の歪曲を防止する映像歪曲防止装置及び方法にする。
【背景技術】
【０００２】
図１は、光走査によって映像が形成される原理を説明するための参考図であり、図２Ａは、水平走査を示す図面であり、図２Ｂは、垂直走査を示す図面であり、図３Ａは、正常な光スキャナが候補駆動信号に応答してシーソー動作する様子を示す図面であり、図３Ｂは、正常でない光スキャナが候補駆動信号に応答してシーソー動作する様子を示す図面である。
【０００３】
レーザプロジェクションテレビ（ｌａｓｅｒ  ｐｒｏｊｅｃｔｉｏｎ  ｔｅｌｅｖｉｓｉｏｎｓ）のように光走査によって映像を具現するディスプレイ装置は、光１２０を多様な方向に走査できる光スキャナ１１０を備える。このとき、光スキャナ１１０は、光スキャナ１１０の偏向される程度を決定する信号であるミラー駆動信号に応答してシーソー動作する。結局、光が走査される方向は、ミラー駆動信号によって決定される。
【０００４】
このような光スキャナ１１０は、ミラーとして動作し、入射される光１２０を反射させることによって、スクリーン１３０に光１２０を走査する。このとき、光走査は、図２Ａに示すように水平方向の双方向走査２１０であるか、図２Ｂに示すように垂直方向の双方向走査２２０でありうる。
【０００５】
一方、光スキャナ１１０がスクリーン１３０に走査する光１２０は、所定の映像１４０に関する情報を有し、それにより、スクリーン１３０上には所定の映像１４０が形成される。
【０００６】
双方向走査する光スキャナ１１０が形成する映像１４０が歪曲されないためには、図２Ａ及び図２Ｂに示すように、一側方向に走査される各区間の始点（または終点）及び他側方向に走査される各区間の終点（または始点）のいずれもがスクリーン１３０上で一直線上に位置しなければならない。
【０００７】
同様に、単方向走査する光スキャナ１１０が形成する映像１４０が歪曲されないためには、一側方向に走査される各区間の始点（または終点）のいずれもがスクリーン１３０上で一直線上に位置しなければならない。
【０００８】
このために、光スキャナ１１０は、図３Ａに示すように、正常にシーソー動作３２０を行わなければならない。このように、光スキャナ１１０が正常にシーソー動作するためには、光スキャナ１１０に入力されるミラー駆動信号が光スキャナ１１０の正常なシーソー動作を指示する信号であり、かつ、光スキャナ１１０が正常でなければならない。
【０００９】
ここで、正常な光スキャナ１１０とは、光スキャナ１１０にいかなる信号も入力されない場合、参照符号３１０に示すように、偏向されない光スキャナを言い、異常な光スキャナ１１０とは、光スキャナ１１０にいかなる信号も入力されないにもかかわらず、参照符号３３０に示すように、偏向される光スキャナを言う。
【００１０】
結局、従来のディスプレイ装置は、光スキャナ１１０の正常なシーソー動作を指示するミラー駆動信号が光スキャナ１１０に入力されても、光スキャナ１１０が正常でなければ、光スキャナ１１０が異常なシーソー動作３４０を行って、歪曲された映像を表示せざるを得ない問題点を有する。
【発明の開示】
【発明が解決しようとする課題】
【００１１】
本発明が解決しようとする技術的課題は、光スキャナの正常なシーソー動作を指示する信号が入力される光スキャナが、いかなる信号も入力されない場合に偏向していても、光スキャナを正常にシーソー動作させる映像歪曲防止装置を提供するところにある。
【００１２】
本発明が解決しようとする他の技術的課題は、光スキャナの正常なシーソー動作を指示する信号が入力される光スキャナが、いかなる信号も入力されない場合に偏向していても、光スキャナを正常にシーソー動作させる映像歪曲防止方法を提供するところにある。
【課題を解決するための手段】
【００１３】
前記課題を達成するために、光スキャナの偏向の程度を決定するミラー駆動信号に応答して動作する光スキャナによって光を走査し、前記光が形成する映像の歪曲を防止する本発明による映像歪曲防止装置は、無信号または水平指示信号が入力された前記光スキャナの偏向の程度を感知する偏向感知部と、前記感知された結果に相応して候補駆動信号を調整し、前記調整された候補駆動信号を前記ミラー駆動信号として出力する駆動信号調整部と、を備えて、前記候補駆動信号は、前記光スキャナの正常動作を指示する信号であり、前記水平指示信号は、前記光スキャナの非偏向を指示する信号であり、前記光スキャナは、前記ミラー駆動信号に応答して正常に動作する。
【００１４】
前記他の課題を達成するために、光スキャナの偏向の程度を決定するミラー駆動信号に応答して動作する光スキャナによって光を走査し、前記光が形成する映像の歪曲を防止する本発明による映像歪曲防止方法は、無信号または水平指示信号が入力された前記光スキャナの偏向の程度を感知する（ａ）段階と、前記感知された結果に相応して候補駆動信号を調整し、前記調整された候補駆動信号を前記ミラー駆動信号として出力する（ｂ）段階と、からなり、前記候補駆動信号は、前記光スキャナの正常動作を指示する信号であり、前記水平指示信号は、前記光スキャナの非偏向を指示する信号であり、前記光スキャナは、前記ミラー駆動信号に応答して正常動作することが望ましい。
【００１５】
前記他の課題を達成するために、光スキャナの偏向の程度を決定するミラー駆動信号に応答して動作する光スキャナによって光を走査し、前記光が形成する映像の歪曲を防止する本発明による映像歪曲防止方法は、無信号または水平指示信号が入力された前記光スキャナの偏向された程度を感知する（ａ）段階と、与えられた候補駆動信号のうち負の候補駆動信号を反転させる（ｂ）段階と、前記感知された結果に相応するオフセットを前記反転して生成された反転駆動信号に印加することで第１調整信号を生成する（ｃ）段階と、前記第１調整信号の平方根を求め、求めた平方根の結果に相応するオフセットを前記候補駆動信号に印加することで第２調整信号を生成する（ｄ）段階と、前記第２調整信号のレベルを前記光スキャナの駆動可能レベルに増加させて第３調整信号を生成し、前記生成された第３調整信号を前記ミラー駆動信号として出力する（ｅ）段階と、からなり、前記候補駆動信号は、前記光スキャナの正常動作を指示する信号であり、前記水平指示信号は、前記光スキャナの非偏向を指示する信号であり、前記光スキャナは、前記ミラー駆動信号に応答して正常動作することが望ましい。
【００１６】
前記他の課題を達成するために、光スキャナの偏向の程度を決定するミラー駆動信号に応答して動作する光スキャナによって光を走査し、前記光が形成する映像の歪曲を防止する本発明による映像歪曲防止方法は、無信号または水平指示信号が入力された前記光スキャナの偏向の程度を感知する（ａ）段階と、与えられた候補駆動信号のうち負の候補駆動信号を反転させ、反転された結果の平方根を求める（ｂ）段階と、前記感知された結果に相応するオフセットを前記候補駆動信号に印加することで第４調整信号を生成する（ｃ）段階と、前記求めた平方根の結果に相応するオフセットを前記第４調整信号に印加することで第５調整信号を生成する（ｄ）段階と、前記第５調整信号のレベルを前記光スキャナの駆動可能レベルに増加させ、増加した結果を前記ミラー駆動信号として出力する（ｅ）段階と、からなり、前記候補駆動信号は、前記光スキャナの正常動作を指示する信号であり、前記水平指示信号は、前記光スキャナの非偏向を指示する信号であり、前記光スキャナは、前記ミラー駆動信号に応答して正常動作することが望ましい。
【００１７】
前記他の課題を達成するために、光スキャナの偏向の程度を決定するミラー駆動信号に応答して動作する光スキャナによって光を走査し、前記光が形成する映像の歪曲を防止する本発明による映像歪曲防止方法は、無信号または水平指示信号が入力された前記光スキャナの偏向の程度を感知する（ａ）段階と、与えられた候補駆動信号のうち負の候補駆動信号を反転させ、反転された結果の平方根を求める（ｂ）段階と、前記求めた平方根の結果に相応するオフセットを前記候補駆動信号に印加することで第７調整信号を生成する（ｃ）段階と、前記感知された結果に相応するオフセットを前記第７調整信号に印加することで第８調整信号を生成する（ｄ）段階と、前記第８調整信号のレベルを前記光スキャナの駆動可能レベルに増加させ、増加した結果を前記ミラー駆動信号として出力する（ｅ）段階とからなり、前記候補駆動信号は、前記光スキャナの正常動作を指示する信号であり、前記水平指示信号は、前記光スキャナの非偏向を指示する信号であり、前記光スキャナは、前記ミラー駆動信号に応答して正常動作することが望ましい。
【発明の効果】
【００１８】
本発明による映像歪曲防止装置及び方法は、光スキャナの正常なシーソー動作を指示する信号が入力される光スキャナが、いかなる信号も入力されない場合に偏向していても、光スキャナを正常にシーソー動作させることができる。
【発明を実施するための最良の形態】
【００１９】
本発明とその動作上の利点及び本発明の実施によって達成される目的を十分に理解するためには本発明の望ましい実施の形態を例示する添付図面及び添付図面に記載された内容を参照せねばならない。
【００２０】
以下、本発明による映像歪曲防止装置及び方法を、添付された図面を参照して詳細に説明する。なお、各図面に示された同じ参照符号は同じ部材を示す。
【００２１】
図４は、本発明による映像歪曲防止装置を概括的に示すブロック図であって、偏向感知部４１０、偏向予測部４２０、及び駆動信号調整部４３０からなる。
【００２２】
偏向感知部４１０は、無信号または水平指示信号が入力された光スキャナ１１０の偏向の程度を感知する。ここで、光スキャナ１１０に無信号が入力されるとは、光スキャナ１１０にいかなる信号も入力されないことを意味する。一方、水平指示信号とは、光スキャナ１１０が偏向されない、すなわち、どちらの方にも傾かないことを指示する信号を意味する。
【００２３】
したがって、光スキャナ１１０が異常であれば、偏向感知部４１０は、光スキャナ１１０が偏向されていると感知するが、光スキャナ１１０が正常であれば、偏向感知部４１０は、光スキャナ１１０が偏向されていないと感知する。
【００２４】
偏向予測部４２０は、候補駆動信号または第１調整信号がミラー駆動信号として入力される光スキャナ１１０が偏向される程度の変化推移を予測し、駆動信号調整部４３０は、偏向感知部４１０で感知された結果及び／または偏向予測部４２０で予測された結果に相応して候補駆動信号を調整する。
【００２５】
ここで、候補駆動信号とは、光スキャナ１１０が正常であるとし、光スキャナ１１０の正常なシーソー動作を指示する信号を意味し、入力端子ＩＮ１を通じて偏向予測部４２０及び駆動信号調整部４３０に入力される。このような候補駆動信号は、一定の周期を有する周期信号であり、予め設定されていることが望ましい。また、第１調整信号とは、駆動信号調整部４３０が、偏向感知部４１０で感知された結果に相応して候補駆動信号を調整した信号である。
【００２６】
図５は、無信号または水平指示信号が入力された光スキャナ１１０の偏向の程度を電気的に感知する偏向感知部４１０を説明するための参考図であり、これを参照して、偏向感知部４１０の動作を説明する。
【００２７】
光スキャナ１１０の一側５１２と第１極板５１４との間の空間（以下、「第１空間」という）５１０、及び光スキャナ１１０の他側５２２と第２極板５２４との間の空間（以下、「第２空間」という）５２０は、いずれも所定の静電容量を有する。ここで、第１極板５１４とは、光スキャナ１１０の偏向の有無を決定する両極板５１４，５２４のうち光スキャナ１１０の一側５１２にさらに近く位置した極板を意味する。同様に、第２極板５２４とは、光スキャナ１１０の偏向の有無を決定する両極板５１４，５２４のうち光スキャナ５１４の他側５２２にさらに近く位置した極板を意味する。このような第１極板５１４と第２極板５２４とは、同じ面積であると仮定する。
【００２８】
正常でない光スキャナ１１０は、無信号または水平指示信号が入力された場合に偏向される。この場合、光スキャナ１１０の一側５１２と第１極板５１４との距離は、光スキャナ１１０の他側５２２と第２極板５２４との距離と異なり、それにより、第１空間５１０の静電容量は、第２空間５２０の静電容量と異なる。結局、偏向感知部４１０は、第１空間５１０の静電容量と第２空間５２０の静電容量との差を求めることで、光スキャナ１１０の偏向の程度を感知することができる。
【００２９】
図６は、無信号または水平指示信号が入力された光スキャナ１１０の偏向の程度を光学的に感知する偏向感知部４１０を説明するための参考図であり、これを参照して、偏向感知部４１０の動作を説明する。
【００３０】
図６に示すように、参照符号６２０は、無信号または水平指示信号が入力された光スキャナ１１０に入射される光を意味し、参照符号６２２は、正常な光スキャナ１１０がその入射された光６２０を反射することで走査される光を意味し、参照符号６２４は、異常な光スキャナ１１０がその入射された光６２０を反射することで走査される光を意味する。
この場合、偏向感知部４１０は、走査された光６２２及び６２４を感知する素子６１０として具現され、これにより、偏向感知部４１０は、光６２０が入射された時点から光６２２または６２４が感知された時点までの時間が得られる。この場合、光スキャナ１１０が偏向されている場合に得られた時間は、光スキャナ１１０が偏向されていない場合に得られた時間と異なる。結局、偏向感知部４１０は、その得られた時間を利用して、光スキャナ１１０が偏向されているか否かを感知できる。
【００３１】
以下、本発明の第１、第２、及び第３実施の形態を図７〜図１３を利用して開示する。
【００３２】
図７は、本発明の第１実施の形態による映像歪曲防止装置を細部的に示すブロック図であって、偏向感知部４１０、偏向予測部４２０Ａ、及び駆動信号調整部４３０Ａからなる。
【００３３】
ここで、偏向予測部４２０Ａは、第１実施の形態による偏向予測部４２０であって、負信号感知部７１２、反転部７１４、及び演算部７１８からなる。また、駆動信号調整部４３０Ａは、第１実施の形態による駆動信号調整部４３０であて、第１調整部７１６及び第２調整部７２０からなる。
【００３４】
本発明の第１実施の形態による映像歪曲防止装置は、次の通り動作する。
【００３５】
負信号感知部７１２は、入力端子ＩＮ２を通じて入力される候補駆動信号のうち負の候補駆動信号を感知し、反転部７１４は、その感知された候補駆動信号を反転させて反転駆動信号を生成する。すなわち、反転部７１４は、その入力される候補駆動信号のうち正の候補駆動信号はそのまま出力し、負の候補駆動信号は反転させて出力することによって、反転駆動信号を生成する。
【００３６】
第１調整部７１６は、偏向感知部４１０で感知された結果に相応するオフセットを反転駆動信号に印加することで第１調整信号を生成し、演算部７１８は、その生成された第１調整信号の平方根を求め、求めた平方根の結果を出力する。
【００３７】
光スキャナ１１０の偏向の程度は、ミラー駆動信号の大きさの二乗に比例するので、演算部７１８は、第１調整信号がミラー駆動信号として入力される光スキャナ１１０の偏向の程度の変化推移は、その求めた平方根の結果であると予測する。
【００３８】
このとき、平方根を求めるためには、第１調整信号が常に正の値でなければならないので、本発明の第１実施の形態によれば、偏向予測部４２０Ａは、前述した負信号感知部７１２及び反転部７１４を備えることが望ましい。
【００３９】
一方、第２調整部７２０は、演算部７１８で求めた平方根の結果に相応するオフセットを候補駆動信号に印加することで第２調整信号を生成し、生成された第２調整信号のレベルを駆動可能レベルに増加させて第３調整信号を生成し、生成された第３調整信号を出力端子ＯＵＴ２を通じて出力する。
【００４０】
ここで、駆動可能レベルとは、光スキャナ１１０を駆動させることができるミラー駆動信号のレベルを意味する。一般的に、候補駆動信号のレベルは、−１５［Ｖ］〜＋１５［Ｖ］のように低圧領域のレベルであるのに反して、駆動可能レベルは、−１５０［Ｖ］〜＋１５０［Ｖ］のように高圧領域のレベルである。候補駆動信号のレベルが低圧領域のレベルであれば、反転駆動信号のレベル、第１調整信号のレベル、及び第２調整信号のレベルがいずれも低圧領域のレベルとなるので、第２調整信号のレベルは、駆動可能レベルに増加することが望ましい。
【００４１】
第１実施の形態によれば、光スキャナ１１０は、第２調整部７２０から入力された第３調整信号に応答して正常に動作する。結局、第１調整部７１６及び第２調整部７２０を備える駆動信号調整部４３０Ａは、候補駆動信号を入力しようとする光スキャナ１１０が正常でなくても、光スキャナ１１０に正常なシーソー動作を行わせる第３調整信号を、その候補駆動信号を調整することによって生成する。
【００４２】
図８の（ａ）ないし（ｄ）は、図７に示した偏向予測部４２０Ａの動作を説明するための参考波形図である。
【００４３】
具体的に、図８の（ａ）は、振幅Ａ［Ｖ］を有する候補駆動信号８１０の波形図である。このような正弦波形態の候補駆動信号８１０は、光スキャナ１１０が水平走査する場合の望ましい候補駆動信号である。その他、三角波形態の信号または矩形波形態の信号も光スキャナ１１０が水平走査する場合の望ましい候補駆動信号でありうる。一方、光スキャナ１１０が垂直走査する場合の望ましい候補駆動信号は、三角波形態の信号である。
【００４４】
一方、図８の（ｂ）は、反転部７１４が負信号感知部７１２で感知された負の候補駆動信号８１０を反転させて生成した反転駆動信号８２０の波形図であり、図８の（ｃ）は、第１調整部７１６が偏向感知部４１０で感知された結果に相応するオフセット（＋ａ［Ｖ］）を反転駆動信号８２０に印加することによって生成した第１調整信号８３０の波形図であり、図８の（ｄ）は、演算部７１８が第１調整信号８３０の平方根を求めた結果の信号８４０の波形図である。
【００４５】
図９は、本発明の第２実施の形態による映像歪曲防止装置を細部的に示すブロック図であって、偏向感知部４１０、偏向予測部４２０Ｂ、及び駆動信号調整部４３０Ｂからなる。
【００４６】
ここで、偏向予測部４２０Ｂは、第２実施の形態による偏向予測部４２０であって、負信号感知部９１２、反転部９１４、及び演算部９１６からなる。また、駆動信号調整部４３０Ｂは、第２実施の形態による駆動信号調整部４３０であって、第１調整部９１８及び第２調整部９２０からなる。
【００４７】
本発明の第２実施の形態による映像歪曲防止装置は、次の通り動作する。
負信号感知部９１２は、入力端子ＩＮ３を通じて入力される候補駆動信号のうち負の候補駆動信号を感知し、反転部９１４は、その感知された候補駆動信号を反転させて反転駆動信号を生成する。すなわち、反転部９１４は、その入力される候補駆動信号のうち正の候補駆動信号はそのまま出力し、負の候補駆動信号は反転させて出力することによって、反転駆動信号を生成する。
【００４８】
演算部９１６は、反転駆動信号の平方根を求め、求めた平方根の結果を出力する。光スキャナ１１０の偏向の程度は、ミラー駆動信号の大きさの二乗に比例するので、演算部９１６は、反転駆動信号がミラー駆動信号として入力される光スキャナ１１０の偏向の程度の変化推移は、その求めた平方根の結果であると予測する。
【００４９】
このとき、平方根を求めるためには、反転駆動信号が常に正の値を有さねばならないので、本発明の第２実施の形態によれば、偏向予測部４２０Ｂは、前述した負信号感知部９１２及び反転部９１４を備えることが望ましい。
【００５０】
第１調整部９１８は、偏向感知部４１０で感知された結果に相応するオフセットを候補駆動信号に印加することで第４調整信号を生成する。
【００５１】
第２調整部９２０は、演算部９１６で求めた平方根の結果に相応するオフセットを第４調整信号に印加することで第５調整信号を生成し、生成された第５調整信号のレベルを駆動可能レベルに増加させて第６調整信号を生成し、生成された第６調整信号を出力端子ＯＵＴ３を通じて出力する。
【００５２】
第２実施の形態によれば、光スキャナ１１０は、第２調整部９２０から入力した第６調整信号に応答して正常に動作する。結局、第１調整部９１８及び第２調整部９２０を含む駆動信号調整部４３０Ｂは、候補駆動信号を入力しようとする光スキャナ１１０が正常でなくても、光スキャナ１１０に正常なシーソー動作を行わせる第６調整信号を、その候補駆動信号を調整することによって生成する。
【００５３】
図１０は、本発明の第３実施の形態による映像歪曲防止装置を細部的に示すブロック図であって、偏向感知部４１０、偏向予測部４２０Ｃ、及び駆動信号調整部４３０Ｃからなる。
【００５４】
ここで、偏向予測部４２０Ｃは、第３実施の形態による偏向予測部４２０であって、負信号感知部９１２、反転部９１４、及び演算部９１６からなる。また、駆動信号調整部４３０Ｃは、第３実施の形態による駆動信号調整部４３０であって、第１調整部１０１４及び第２調整部１０１２からなる。
【００５５】
本発明の第３実施の形態による映像歪曲防止装置は、次の通り動作する。
【００５６】
負信号感知部９１２は、入力端子ＩＮ４を通じて入力される候補駆動信号のうち負の候補駆動信号を感知し、反転部９１４は、その感知された候補駆動信号を反転させて反転駆動信号を生成する。すなわち、反転部９１４は、その入力される候補駆動信号のうち正の候補駆動信号はそのまま出力し、負の候補駆動信号は反転させて出力することによって、反転駆動信号を生成する。
【００５７】
演算部９１６は、反転駆動信号の平方根を求め、求めた平方根の結果を出力する。光スキャナ１１０の偏向の程度は、ミラー駆動信号の大きさの二乗に比例するので、演算部９１６は、反転駆動信号がミラー駆動信号として入力される光スキャナ１１０の偏向の程度の変化推移は、その求めた平方根の結果であると予測する。
【００５８】
このとき、平方根を求めるためには、反転駆動信号が常に正の値を有さねばならないので、本発明の第３実施の形態によれば、偏向予測部４２０Ｃは、前述した負信号感知部９１２及び反転部９１４を備えることが望ましい。
【００５９】
第２調整部１０１２は、演算部９１６で求めた平方根の結果に相応するオフセットを候補駆動信号に印加することで第７調整信号を生成し、生成された第７調整信号のレベルを駆動可能レベルに増加させて第８調整信号を生成する。
【００６０】
第１調整部１０１４は、偏向感知部４１０で感知された結果に相応するオフセットを第８調整信号に印加することで第９調整信号を生成し、生成された第９調整信号を出力端子ＯＵＴ４を通じて出力する。
【００６１】
第３実施の形態によれば、光スキャナ１１０は、第２調整部１０１２から入力された第９調整信号に応答して正常に動作する。結局、第１調整部１０１４及び第２調整部１０１２を含む駆動信号調整部４３０Ｃは、候補駆動信号を入力しようとする光スキャナ１１０が正常でなくても、光スキャナ１１０に正常なシーソー動作を行わせる第９調整信号を、その候補駆動信号を調整することによって生成する。
【００６２】
図１１は、本発明による映像歪曲防止方法を説明するための第１実施の形態のフローチャートであって、候補駆動信号を入力しようとする光スキャナ１１０が正常でなくても、光スキャナ１１０に正常なシーソー動作を行わせる段階（１１１０〜１１７０）を示している。
【００６３】
偏向感知部４１０は、無信号または水平指示信号が入力された光スキャナ１１０の偏向の程度を感知し（第１１１０段階）、反転部７１４は、与えられた候補駆動信号のうち負の候補駆動信号を反転させて反転駆動信号を生成する（第１１２０段階）。
【００６４】
ここで、第１１１０段階は、第１１２０段階と同時に行われてもよく、第１１２０段階の後に行われてもよい。
【００６５】
第１調整部７１６は、第１１１０段階で感知された結果に相応するオフセットを反転駆動信号に印加することで第１調整信号を生成し（第１１３０段階）、演算部７１８は、第１調整信号の平方根を求める（第１１４０段階）。
【００６６】
第１１４０段階の後に、第２調整部７２０は、第１１４０段階で求めた平方根の結果に相応するオフセットを候補駆動信号に印加することで第２調整信号を生成し（第１１５０段階）、第１１５０段階で生成された第２調整信号のレベルを駆動可能レベルに増加させて第３調整信号を生成する（第１１６０段階）。
【００６７】
第１１６０段階の後に、光スキャナ１１０は、第１１６０段階で生成された第３調整信号に応答して正常に動作する（第１１７０段階）。ただし、候補駆動信号のレベルが駆動可能レベルであれば、本発明による映像歪曲防止方法に第１１６０段階が不要なので、第１１７０段階は、第１１５０段階の後に行われる。
【００６８】
図１２は、本発明による映像歪曲防止方法を説明するための第２実施の形態のフローチャートであって、候補駆動信号を入力しようとする光スキャナ１１０が正常でなくても、光スキャナ１１０に正常なシーソー動作を行わせる段階（１２１０〜１２７０）を示している。
【００６９】
偏向感知部４１０は、無信号または水平指示信号が入力された光スキャナ１１０の偏向の程度を感知し（第１２１０段階）、反転部９１４は、与えられた候補駆動信号のうち負の候補駆動信号を反転させて反転駆動信号を生成し（第１２２０段階）、演算部９１６は、反転駆動信号の平方根を求める（第１２３０段階）。
【００７０】
ここで、第１２１０段階は、第１２２０段階または第１２３０段階と同時に行われてもよく、第１２２０段階及び第１２３０段階の後に行われてもよい。
【００７１】
第１調整部９１８は、第１２１０段階で感知された結果に相応するオフセットを候補駆動信号に印加することで第４調整信号を生成する（第１２４０段階）。
【００７２】
第１２４０段階の後に、第２調整部９２０は、第１２３０段階で求めた平方根の結果に相応するオフセットを第１２４０段階で生成された第４調整信号に印加することで第５調整信号を生成し（第１２５０段階）、第１２５０段階で生成された第５調整信号のレベルを駆動可能レベルに増加させて第６調整信号を生成する（第１２６０段階）。
【００７３】
第１２６０段階の後に、光スキャナ１１０は、第１２６０段階で生成された第６調整信号に応答して正常に動作する（第１２７０段階）。ただし、候補駆動信号のレベルが駆動可能レベルであれば、本発明による映像歪曲防止方法に第１２６０段階が行われないので、第１２７０段階は、第１２５０段階の後に行われる。
【００７４】
図１３は、本発明による映像歪曲防止方法を説明するための第３実施の形態のフローチャートであって、候補駆動信号を入力しようとする光スキャナ１１０が正常でなくても、光スキャナ１１０に正常なシーソー動作を行わせる段階（１３１０〜１３７０）を示している。
【００７５】
偏向感知部４１０は、無信号または水平指示信号が入力された光スキャナ１１０の偏向の程度を感知し（第１３１０段階）、反転部９１４は、与えられた候補駆動信号のうち負の候補駆動信号を反転させて反転駆動信号を生成し（第１３２０段階）、演算部９１６は、反転駆動信号の平方根を求める（第１３３０段階）。
【００７６】
ここで、第１３１０段階は、第１３２０段階または第１３３０段階と同時に行われてもよく、第１３２０段階及び第１３３０段階の後に行われてもよい。
【００７７】
第２調整部１０１２は、第１３３０段階で求めた平方根の結果に相応するオフセットを候補駆動信号に印加することで第７調整信号を生成し（第１３４０段階）、第１３４０段階で生成された第７調整信号のレベルを駆動可能レベルに増加させて第８調整信号を生成する（第１３５０段階）。
【００７８】
第１３５０段階の後に、第１調整部１０１４は、第１３１０段階で感知された結果に相応するオフセットを第１３５０段階で生成された第８調整信号に印加することで第９調整信号を生成する（第１３６０段階）。
【００７９】
ただし、候補駆動信号のレベルが駆動可能レベルであれば、本発明による映像歪曲防止方法に第１３５０段階が不要なので、第１３６０段階は、第１３４０段階の後に行われる。この場合、第１調整部１０１４は、第１３１０段階で感知された結果に相応するオフセットを第１３４０段階で生成された第７調整信号に印加することで第９調整信号を生成する。
【００８０】
第１３６０段階の後に、光スキャナ１１０は、第１３６０段階で生成された第９調整信号に応答して正常に動作する（第１３７０段階）。
【００８１】
また、本発明は、コンピュータで読み取り可能な記録媒体にコンピュータで読み取り可能なコードとして具現することが可能である。コンピュータで読み取り可能な記録媒体は、コンピュータシステムによって読取れるデータが保存される全ての種類の記録装置を備える。コンピュータで読み取り可能な記録媒体の例としては、ＲＯＭ、ＲＡＭ、ＣＤ−ＲＯＭ、磁気テープ、フロッピーディスク、光データ保存装置などがあり、またキャリヤウェーブ（例えば、インターネットを介した伝送）形態に具現されるものも含む。また、コンピュータで読み取り可能な記録媒体は、ネットワークで連結された複数のコンピュータシステムに分散し、分散方式でコンピュータ読み取り可能なコードが保存され、実行されることも可能である。
【００８２】
以上、図面と明細書において最適の実施の形態が開示された。ここで特定用語が使われたが、これは単に本発明を説明するための目的として使われたものであり、意味限定や特許請求の範囲に記載された本発明の範囲を制限するために使われたものではない。したがって、当業者ならば、これより多様な変形及び均等な他の実施の形態が可能であるという点を理解できるであろう。したがって、本発明の技術的範囲は、特許請求の範囲により決定されなければならない。
【産業上の利用可能性】
【００８３】
本発明は、ディスプレイ関連の技術分野に好適に用いられる。
【図面の簡単な説明】
【００８４】
【図１】光走査によって映像が形成される原理を説明するための参考図である。
【図２Ａ】光走査の種類を説明するための参考図である。
【図２Ｂ】光走査の種類を説明するための参考図である。
【図３Ａ】光スキャナのシーソー運動を表す図面である。
【図３Ｂ】光スキャナのシーソー運動を表す図面である。
【図４】本発明による映像歪曲防止装置を概括的に示すブロック図である。
【図５】図４に示した偏向感知部の動作を説明するための第１参考図である。
【図６】図４に示した偏向感知部の動作を説明するための第２参考図である。
【図７】本発明の第１実施の形態による映像歪曲防止装置を細部的に示すブロック図である。
【図８】（ａ）〜（ｄ）は図７に示した偏向予測部の動作を説明するための参考波形図である。
【図９】本発明の第２実施の形態による映像歪曲防止装置を細部的に示すブロック図である。
【図１０】本発明の第３実施の形態による映像歪曲防止装置を細部的に示すブロック図である。
【図１１】本発明による映像歪曲防止方法を説明するための第１実施の形態のフローチャートである。
【図１２】本発明による映像歪曲防止方法を説明するための第２実施の形態のフローチャートである。
【図１３】本発明による映像歪曲防止方法を説明するための第３実施の形態のフローチャートである。
【符号の説明】
【００８５】
１１０    光スキャナ、
１２０、６２０、６２２、６２４    光、
４１０    偏向感知部、
４２０、４２０Ａ、４２０Ｂ、４２０Ｃ    偏向予測部、
４３０、４３０Ａ、４３０Ｂ、４３０Ｂ    駆動信号調整部、
５１０    第１空間、
５１２    光スキャナの一側、
５１４    第１極板、
５２０    第２空間、
５２２    光スキャナの他側、
５２４    第２極板、
６１０    素子、
７１２、９１２    負信号感知部、
７１４、９１４    反転部、
７１６、９１８、１０１４    第１調整部、
７１８、９１６  演算部、
７２０、９２０、１０１２    第２調整部、
８１０    候補駆動信号、
８２０    反転駆動信号、
８３０    第１調整信号、
８４０    平方根の結果、
ＩＮ１、ＩＮ２、ＩＮ３、ＩＮ４    入力端子、
ＯＵＴ２、ＯＵＴ３、ＯＵＴ４    出力端子。
【図１】
2007199690.tif 000003
【図２Ａ】
2007199690.tif 000004
【図２Ｂ】
2007199690.tif 000005
【図３Ａ】
2007199690.tif 000006
【図３Ｂ】
2007199690.tif 000007
【図４】
2007199690.tif 000008
【図５】
2007199690.tif 000009
【図６】
2007199690.tif 000010
【図７】
2007199690.tif 000011
【図８】
2007199690.tif 000012
【図９】
2007199690.tif 000013
【図１０】
2007199690.tif 000014
【図１１】
2007199690.tif 000015
【図１２】
2007199690.tif 000016
【図１３】
2007199690.tif 000017